(57)【要約】【課題】  アンカーボルトを打設コンクリートに対して正確な位置に確実に且つ短時間で差し入れ且つ当該差し入れアンカーボルトを垂直状態に維持する。【解決手段】  型枠材４１間に架け渡しの状態に組み付け用意される横架具１０に、アンカーボルト３０を保持したアンカーボルト保持具２０を、当該横架具１０の孔１２から前記アンカーボルト３０を打設されているコンクリート６０に差し入れるように組み付けて用いられるアンカーボルトの仮保持具。【選択図】図３
2006152752.tif 000002
【特許請求の範囲】
【請求項１】
アンカーボルトを着脱可能に組み付け得るアンカーボルト保持具と、
前記アンカーボルトの挿通可能な孔を備えると共に当該孔にアンカーボルトを挿通した際に前記アンカーボルト保持具を所定の位置に支承し得る横架具とを備えており、
この横架具を型枠の長手方向においてアンカーボルトの設定予定位置に位置づけるように互いに向き合って備えられているコンクリート基礎の打ち込み用の型枠材間に架け渡しの状態で組み付け得るようにしてあると共に、
この型枠に組み付けられた前記横架具に当該横架具の孔から前記型枠材間に打ち込まれたコンクリートに対して前記アンカーボルトを差し入れるように前記アンカーボルト保持具を組み付け得るようにしてあることを特徴とするアンカーボルトの仮保持具。
【請求項２】
前記アンカーボルト保持具が上下方向に貫通するアンカーボルトの挿通孔を備えていると共に、当該孔に上下動可能に挿通されているアンカーボルトを所定位置に停止状態に維持するストッパー手段を備えていることを特徴とする請求項１に記載のアンカーボルトの仮保持具。
【請求項３】
前記アンカーボルト保持具が前記アンカーボルトにおける雄ねじ部を上下方向に螺進退する雌ねじ孔を備えており、当該アンカーボルトを所定位置まで螺進退した状態で停止状態に維持し得るようにしてあることを特徴とする請求項１に記載のアンカーボルトの仮保持具。
【請求項４】
前記横架具が板部を備えており、この板部における互いに向き合っている側縁部に位置決め手段が凹状欠設部として設けてあると共に、
当該板部を跨る板状部と当該板状部から垂設されて該凹状欠設部に掛合する掛合片部とを備えた位置決め手段が前記アンカーボルト保持具に設けてあることを特徴とする請求項１、請求項２又は請求項３に記載のアンカーボルトの仮保持具。
【請求項５】
前記アンカーボルト保持具が当該アンカーボルト保持具に備えられている板状部を位置決め手段としており、前記横架具の板部に当該位置決め手段をなす板状部を受け入れる位置決め手段としての起立枠状部が設けてあることを特徴とする請求項１、請求項２又は請求項３に記載のアンカーボルトの仮保持具。
【発明の詳細な説明】
【技術分野】
【０００１】
この発明は、コンクリート基礎に備えられるアンカーボルトを所定位置に正確かつ確実に植設状態に設け得るようにしたアンカーボルトの仮保持具の提供に関する。
【背景技術】
【０００２】
各種建物におけるコンクリート基礎の構成に際して、当該基礎と当該基礎上に設けられる建造物を強固に一体に組み付ける手段として、当該基礎に植設されているアンカーボルトが効果的に用いられている。
【０００３】
かかるアンカーボルトは、土台等の建造物を当該コンクリート基礎に対して正確に、しかも、確実に組み付ける手段として用いられるものであって、当該基礎の長手方向及び幅方向のいずれに対しても所定位置に正確に、しかも、垂直の状態で設ける必要があった。
【０００４】
かかる点から特許文献１に示されるアンカーボルトの位置決め治具が提案されている。
【０００５】
この特許文献１に示されているアンカーボルトの位置決め治具は、各種布基礎に対応するようにそれぞれアンカーボルトの植設位置を調整し得るようにしてある。
【０００６】
このように構成されるアンカーボルトの位置決め治具を用いることによって、正確に位置決めされた位置に各アンカーボルトをセットし、この正確にアンカーボルトのセットされたコンクリート基礎の構成用型枠に対してコンクリートを流し込んみ打ち固めることによって、各目的に対応するコンクリート布基礎を構成するようにしていた。
【０００７】
しかしながら、このようにコンクリート基礎の構成用型枠に対してアンカーボルトをセットした後、この型枠間にコンクリートを打ち込んで基礎を構成する手法にあっては、当該コンクリートの打ち込みに際して、コンクリート型枠に前もって位置決めセットしたアンカーボルトが当該コンクリートの流し込みに際して位置ずれをおこしたり、垂直にセットされた当該アンカーボルトが傾き出す不具合があった。
【０００８】
また、かかる手法にあっては、型枠にセットした各アンカーボルトにおける周側部分に十分に打ち込みコンクリートが回り込むように、打ち込みコンクリートの突き込みやバイブレーション処理を必要としていた。
【０００９】
かかる点から、型枠にコンクリートを打ち込んだ後に、当該打ち込みコンクリートに対してアンカーボルトを各所定位置毎に差し入れて、アンカーボルトを植設状態に構成基礎に備える手法が試みられている。
【００１０】
しかしながら、型枠に基礎用のコンクリートを打ち込んだ後に、当該打ち込みコンクリートに対してアンカーボルトを差し入れる手法にあっては、当該打ち込みコンクリートが硬化をする前に所定数の各アンカーボルトを、所定の位置に、垂直の状態で差し入れる必要があり、比較的短い作業時間内に、これらの各作業を確実に且つ正確になし終える必要があった。
【００１１】
かかるアンカーボルトの差し入れにあっては、基礎の長さ方向においても、また、幅方向においても、アンカーボルトが所定の位置に正確に位置づけられ、しかも、倒れ込まないように垂直の状態に保持される必要があり、当該アンカーボルトのセッテングに多くの熟練者による作業を必要としていた。
【００１２】
また、かかるアンカーボルトのセッテング手法にあっては、型枠に打ち込まれているコンクリートの硬化状況に対応した各作業が必要とされており、アンカーボルトの差し入れのタイミングの判断に難しさがあった。
【特許文献１】実開平５−８９５２９
【発明の開示】
【発明が解決しようとする課題】
【００１３】
この発明が解決しようとする主たる課題は、建築物における各基礎に備えられるアンカーボルトを、型枠に対して打ち込まれたコンクリートに対して、正確に、しかも、短時間で垂直の状態にして差し入れ保持し得るようにして、所定位置に正確に、しかも、垂直の状態に維持されたアンカーボルトを備える基礎を構成する点にある。
【課題を解決するための手段】
【００１４】
この発明は、前記各課題を解決するために、アンカーボルトを着脱可能に組み付け得るアンカーボルト保持具と、
前記アンカーボルトの挿通可能な孔を備えると共に当該孔にアンカーボルトを挿通した際に前記アンカーボルト保持具を所定の位置に支承し得る横架具とを備えており、
この横架具を型枠の長手方向においてアンカーボルトの設定予定位置に位置づけるように互いに向き合って備えられているコンクリート基礎の打ち込み用の型枠材間に架け渡しの状態で組み付け得るようにしてあると共に、
この型枠に組み付けられた前記横架具に当該横架具の孔から前記型枠材間に打ち込まれたコンクリートに対して前記アンカーボルトを差し入れるように前記アンカーボルト保持具を組み付け得るようにしてあることを特徴とするアンカーボルトの仮保持具としてある。
【００１５】
このように構成されるアンカーボルトの仮保持具は、アンカーボルトの差し込まれるコンクリートの打ち込み後における適切な硬さにある状態で、短時間に手際よく、しかも、正確な位置にアンカーボルトの差し入れが可能とされ、しかも、当該コンクリートに差し入れられた各アンカーボルトが安定に垂直状態に維持される。
【００１６】
また、このように構成されるアンカーボルトの仮保持具にあっては、型枠のコンクリートに差し込まれる各アンカーボルトにおける頂端を同一の仮想の平面内に位置するように設けることができ、構成される基礎における天端からの当該アンカーボルトの突き出し寸法を容易に、且つ、一定に揃えることができる。
【００１７】
ついで、前記構成にかかるアンカーボルトの仮保持具において、前記アンカーボルト保持具が上下方向に貫通するアンカーボルトの挿通孔を備えていると共に、当該孔に上下動可能に挿通されているアンカーボルトを所定位置に停止状態に維持するストッパー手段を備えていることを特徴とするアンカーボルトの仮保持具にあっては、前記特長に併せて当該アンカーボルト保持具に挿通用意されるアンカーボルトを円滑に当該アンカーボルト保持具における所定位置に留めつけ状態にすることができる。
【００１８】
また、前記構成にかかるアンカーボルトの仮保持具において、前記アンカーボルト保持具が前記アンカーボルトにおける雄ねじ部を上下方向に螺進退する雌ねじ孔を備えており、当該アンカーボルトを所定位置まで螺進退した状態で停止状態に維持し得るようにしてあることを特徴とするアンカーボルトの仮保持具にあっては、前記特長に併せて、当該アンカーボルト保持具に螺挿用意されるアンカーボルトを正確に当該アンカーボルト保持具における所定位置に停止状態に維持することができる。
【００１９】
さらに、前記構成にかかるアンカーボルトの仮保持具において、前記横架具が板部を備えており、この板部における互いに向き合っている側縁部に位置決め手段が凹状欠設部として設けてあると共に、
当該板部を跨る板状部と当該板状部から垂設されて該凹状欠設部に掛合する掛合片部とを備えた位置決め手段が前記アンカーボルト保持具に設けてあることを特徴とするアンカーボルトの仮保持具にあっては、前記特長に併せて、アンカーボルトを型枠の幅側における所定位置に正確に位置づけることができる。
【００２０】
また、前記構成にかかるアンカーボルトの仮保持具において、前記アンカーボルト保持具が当該アンカーボルト保持具に備えられている板状部を位置決め手段としており、前記横架具の板部に当該位置決め手段をなす板状部を受け入れる位置決め手段としての起立枠状部が設けてあることを特徴とするアンカーボルトの仮保持具にあっては、前記特長に併せてアンカーボルトを型枠の幅側における所定位置に正確に位置づけることができる。
【発明の効果】
【００２１】
この発明にかかるアンカーボルトの仮保持具は、アンカーボルトの差し込まれるコンクリートの打ち込み後における適切な硬さにある状態で、短時間に手際よく、しかも、正確な位置にアンカーボルトを差し入れることができる。また、当該コンクリートに差し入れられた各アンカーボルトを安定に垂直状態に維持することができる。また、各アンカーボルトにおける頂端が同一の仮想の平面内に位置するように打ち込みコンクリートに差し入れることができる。
【発明を実施するための最良の形態】
【００２２】
以下、図１〜図１７にもとづいて当該発明を実施するための最良の各形態について説明する。
【００２３】
ここで図１〜図１０は当該発明を実施するための最良の形態に係る典型的な第１のアンカーボルトの仮保持具Ａを示している。図１では、当該アンカーボルトの仮保持具Ａを構成する各部品を分離して斜め上方から見て示しており、図２では、当該アンカーボルトの仮保持具Ａを構成する横架具１０を型枠４０の上部に組み付けた状態の要部を、図３では、この横架具１０にアンカーボルト３０を備えたアンカーボルト保持具２０を組み付けた状態の要部をそれぞれ斜め上方から見て示している。図４では、この横架具１０を組み付けた典型的なコンクリート打ち込み用の型枠４０の典型例を斜め上方から見て、図５では、これを縦向きに断面した状態を、図６では、かかる型枠４０にベース部分のコンクリートを打設した状態を断面して、更に、図７では、これに立ち上がり部分のコンクリートを打設した状態を断面して、図８では、この打設コンクリート６０に対してアンカーボルト３０を差し入れ固定した状態を断面してそれぞれ示しており、図９では、かかるアンカーボルト３０の打設コンクリート６０に対する差し入れ状態を拡大して断面の状態で、図１０では、当該アンカーボルトの仮保持具Ａを用いてアンカーボルト３０の備えられたコンクリート基礎７０を斜め上方から見て示している。
【００２４】
図１１〜図１４は当該発明を実施するための最良の形態に係る第２の典型的なアンカーボルトの仮保持具Ａを示している。図１１では、当該アンカーボルトの仮保持具Ａを構成する各部品を分離して斜め上方から見て示しており、図１２では、当該アンカーボルトの仮保持具Ａを構成する横架具１０を型枠４０の上部に組み付けた状態の要部を、図１３では、この横架具１０にアンカーボルト３０を備えたアンカーボルト保持具２０を組み付けた状態の要部をそれぞれ斜め上方から見て示している。図１４では、この打設コンクリート６０に対してアンカーボルト３０を差し入れ固定した状態を拡大して断面の状態で示している。
【００２５】
図１５〜図１７は、当該アンカーボルトの仮保持具Ａを用いてコンクリート基礎７０に植設状態に備え得る典型的な各アンカーボルト３０をそれぞれ斜め上方から見て示している。
【００２６】
この発明を実施するための最良の形態に係る典型的なアンカーボルトの仮保持具Ａは、アンカーボルト３０を着脱可能に組み付け得るアンカーボルト保持具２０と、
前記アンカーボルト３０の挿通可能な孔１２を備えると共に当該孔１２にアンカーボルト３０を挿通した際に前記アンカーボルト保持具２０を所定の位置に支承し得る横架具１０とを備えており、
この横架具１０を型枠４０の長手方向においてアンカーボルト３０の設定予定位置に位置づけるように互いに向き合って備えられているコンクリート基礎７０
の打ち込み用の型枠材４１間に架け渡しの状態で組み付け得るようにしてあると共に、
この型枠４０に組み付けられた前記横架具１０に当該横架具１０の孔１２から前記型枠材４１間に打ち込まれたコンクリート６０に対して前記アンカーボルト３０を差し入れるように前記アンカーボルト保持具２０を組み付け得るようにしてある。
【００２７】
ここでアンカーボルトの仮保持具Ａを構成するアンカーボルト保持具２０は、アンカーボルト３０を着脱可能に組み付け得る形態を備え、しかも、横架具１０に対して当該アンカーボルト３０を所定位置に位置づけるように組み付け得るものであれば、いかなる形態からなるものであってもよく、また、いかなる素材によって構成してあってもよい。
【００２８】
かかるアンカーボルト保持具２０におけるアンカーボルト３０の着脱可能な組み付け手段は、当該アンカーボルト３０に対してアンカーボルト保持具２０を前もって組み付け用意し得ると共に、型枠材４１間に打設されるコンクリート６０に対して当該アンカーボルト３０を差し入れるようにして横架具１０に組み付け、かつ、当該打設コンクリート６０の硬化後に当該アンカーボルト保持具２０をコンクリート基礎７０に植設されている当該アンカーボルト３０から取り外し得る構成を備えたものであれば、いかなる構成のものであってもよい。
【００２９】
また、ここでアンカーボルトの仮保持具Ａを構成する横架具１０は、向き合って備えられている型枠材４１間に架け渡されるように組み付け得ると共に、アンカーボルト３０の挿通可能な孔１２と当該孔１２にアンカーボルト３０を挿通するようにアンカーボルト保持具２０を組み付けた際に、このアンカーボルト保持具２０を所定定位置に位置づけ得るものであれば、いかなる形態のものであってもよい。
【００３０】
また、ここで前記アンカーボルト保持具２０及び横架具１０を用いてコンクリート基礎７０に植設状態に備えられるアンカーボルト３０は、当該コンクリート基礎７０に植設されて当該コンクリート基礎７０上に設けられる建造物を当該コンクリート基礎７０に連結し得るものであれば、いかなる形態のものであっても、また、いかなる素材によって構成してあってもよい。
【００３１】
このように構成されるアンカーボルトの仮保持具Ａは、アンカーボルト３０の差し込まれるコンクリート６０の打ち込み後における適切な硬さにある状態で、短時間に手際よく、しかも、正確な位置にアンカーボルト３０の差し入れが可能とされ、しかも、当該コンクリート６０に差し入れられた各アンカーボルト３０が安定に垂直状態に維持される。
【００３２】
また、このように構成されるアンカーボルトの仮保持具Ａにあっては、型枠４０のコンクリート６０に差し込まれる各アンカーボルト３０における頂端を同一の仮想の平面内に位置するように設けることができ、構成されるコンクリート基礎７０における天端からの当該アンカーボルト３０の突き出し寸法を容易に且つ一定に揃えることができる。
【００３３】
ついで、前記構成にかかるアンカーボルトの仮保持具Ａにおいて、前記アンカーボルト保持具２０が上下方向に貫通するアンカーボルト３０の挿通孔２２を備えていると共に、当該孔２２に上下動可能に挿通されているアンカーボルト３０を所定位置に停止状態に維持するストッパー手段２４を備えている構成のアンカーボルトの仮保持具Ａにあっては、前記特長に併せて当該アンカーボルト保持具２０に挿通用意されるアンカーボルト３０を円滑に当該アンカーボルト保持具２０における所定位置に留めつけ状態にすることができる。
【００３４】
かかるアンカーボルト３０をアンカーボルト保持具２０に留め付けるストパー手段２４は、当該アンカーボルト保持具２０に挿通されたアンカーボルト３０の上下方向に向けた移動を阻止し、かつ、当該アンカーボルト３０からアンカーボルト保持具２０を取り外す際に当該留め付けを容易に解除し得るものであれば、いかなる構成からなるものであってもよい。
【００３５】
また、前記構成にかかるアンカーボルトの仮保持具Ａにおいて、前記アンカーボルト保持具２０が前記アンカーボルト３０における雄ねじ部３２を上下方向に螺進退する雌ねじ孔２３を備えており、当該アンカーボルト３０を所定位置まで螺進退した状態で停止状態に維持し得るようにしてある構成のアンカーボルトの仮保持具Ａにあっては、前記特長に併せて、当該アンカーボルト保持具２０に螺挿用意されるアンカーボルト３０を正確に当該アンカーボルト保持具２０における所定位置に停止状態に維持することができる。
【００３６】
さらに、前記構成にかかるアンカーボルトの仮保持具Ａにおいて、前記横架具１０が板部１１ａを備えており、この板部１１ａにおける互いに向き合っている側縁部に位置決め手段１３が凹状欠設部１３ａとして設けてあると共に、
当該板部１１ａを跨る板状部２５ａと当該板状部２５ａから垂設されて該凹状欠設部１３ａに掛合する掛合片部２５ｂとを備えた位置決め手段２５が前記アンカーボルト保持具２０に設けてある構成のアンカーボルトの仮保持具Ａにあっては、前記特長に併せて、アンカーボルト３０を型枠４０の幅側における所定位置に正確に位置づけることができる。
【００３７】
また、前記構成にかかるアンカーボルトの仮保持具Ａにおいて、前記アンカーボルト保持具２０が当該アンカーボルト保持具２０に備えられている板状部２５ａを位置決め手段２５としており、前記横架具１０の板部１１ａに当該位置決め手段２５をなす板状部２５ｃを受け入れる位置決め手段１３としての起立枠状部１３ｂが設けてある構成のアンカーボルトの仮保持具Ａにあっては、前記特長に併せてアンカーボルト３０を型枠４０の幅側における所定位置に正確に位置づけることができる。
【００３８】
なお、前記アンカーボルト保持具２０に雌ねじ孔２３を設け、この雌ねじ孔２３に対してアンカーボルト３０をねじ入れの状態で留め付けてあり、しかも、この板状部２５ｃが当該アンカーボルト保持具２０に一体的に設けてある場合にあっては、当該板状部２５ｃが前記起立枠状部１３ｂ内において回転可能になるように設ける。このように構成されるアンカーボルト保持具２０にあっては、当該アンカーボルト保持具２０を回転することによって、一旦組み付けた後にあっても当該アンカーボルト３０の上下方向に向けた移動調整をなすことができる。
【００３９】
まず、図１〜図１０に示される典型的な第１の実施の形態に係るアンカーボルトの仮保持具Ａについて具体的に説明する。
【００４０】
この図示例に係るアンカーボルトの仮保持具Ａは、アンカーボルト３０を着脱可能に組み付け得るアンカーボルト保持具２０と、
前記アンカーボルト３０の挿通可能な孔１２を備えると共に当該孔１２にアンカーボルト３０を挿通した際に前記アンカーボルト保持具２０を所定の位置に支承し得る横架具１０とを備えており、
この横架具１０を型枠４０の長手方向においてアンカーボルト３０の設定予定位置に位置づけるように互いに向き合って備えられているコンクリート基礎７０の打ち込み用の型枠材４１間に架け渡しの状態で組み付け得るようにしてあると共に、
この型枠４０に組み付けられた前記横架具１０に当該横架具１０の孔１２から前記型枠材４１間に打ち込まれたコンクリート６０に対して前記アンカーボルト３０を差し入れるように前記アンカーボルト保持具２０を組み付け得る構成としてある。
【００４１】
この図示例に係るアンカーボルトの仮保持具Ａを用いたアンカーボルト３０のコンクリート基礎７０に対する植設例について具体的に説明する。この図示例にあっては、この種コンクリート基礎７０の典型例として、フーチング基礎を示している。
【００４２】
かかるコンクリート基礎７０の構成にあっては、通例、地業面に根切りを施して適宜捨てコンクリートを打設する等の型枠４０の建て込みに必要な処理を施し、フーチング打設用型枠４４に根切りをした土を埋め戻すと共に、プラスチック製スペーサー４５を介して基礎フーチング部７１の各鉄筋４６を配し、更に、基礎立ち上がり部７２における主筋をなす各鉄筋４８等を配すると共に、型枠建て込み用のＭ型ベース鉄筋４７を設ける。
【００４３】
このように用意されたＭ型ベース鉄筋４７上に、コンクリート基礎７０の幅寸法を離すようにして、一対の型枠材４１、この図示例にあっては、鋼板製パネル４１’を互いの板部４１ａを向き合わせるようにして起立状態に建て込む。
【００４４】
この鋼板製パネル４１’は、堰板として機能する板部４１ａの上縁部に外向きの鍔部４１ｂを、下縁部に外向きの鍔部４１ｃを、また、両側縁部に当該鍔部４１ｂ及び鍔部４１ｃ間にわたるように外向きの鍔部４１ｄを一体に備えており、更に当該鍔４１ｂ及び鍔４１ｃ間にわたるように補強板４１ｄ’を適宜備えた構成としてある。
【００４５】
かかる型枠材４１をなす鋼板製パネル４１’の下端部間と、上端部間を、それぞれ連結スペーサ４２を用いて組み付ける。この各型枠材４１は、この型枠材４１間に打ち込まれるコンクリート６０の打設圧に耐え得るように前記連結スペーサ４２によって複数箇所にわたって組み付け用意される。
【００４６】
また、このようにして建て込まれた型枠４０をターンバックル等を備えたサポータ４３等で当該型枠４０における建て込み姿勢の矯正や補強等をなす。
【００４７】
このように建て込まれた各型枠材４１間に架け渡されるように横架具１０を、当該各型枠材４１の鍔部４１ｂ上にセットする。
【００４８】
ここで用いられる横架具１０は、向き合って建て込まれている当該各型枠材４１における鍔部４１ｂ、４１ｂの上面に両端部の当接板部１１ｂを載せかけるようにセットされる長方形の板状体１１によって構成してあり、当該各型枠材４１を構成する前記板部４１ａに当接する掛合片１４を両側部に下向きに突設してある。
【００４９】
なお、この対をなす掛合片１４は、前記長方形の板状体１１における各端部側で当該板状体１１に連続するように、互いに中央側から端部側に向けてコ字状に打ち抜いて下方に突設してあり、この下方に向けて突設されている各掛合片１４の面が、互いに向き合っている前記型枠材４１の板部４１ａの面に密着して掛合し得るように構成してある。
【００５０】
かかる長方形の板状体１１にあって、アンカーボルト３０を組み付ける位置、この図示例にあっては、当該板状体１１のほぼ中程に位置して孔１２が設けてあり、この孔１２の側方にある当該板状体１１の幅側の板部がアンカーボルト保持具２０の支承面としてある。この板状体１１に備えられる孔１２は、アンカーボルト保持具２０に備えられたアンカーボルト３０を、この孔１２から前記型枠材４１間に打ち込まれるコンクリート６０に差し入れる際に、当該アンカーボルト３０を容易に挿通し得る大きさを備えたものとしてある。
【００５１】
また、この孔１２の備えられている板状体１１の板部１１ａにおける互いに向き合っている縁が凹状欠設縁部１３ａとしてあり、この凹状欠設縁部１３ａがアンカーボルト保持具２０に備えられている掛合片部２５ｂが都合よく納まり得る形状に設けてあり、この掛合片部２５ｂと共に当該横架具１０に対してアンカーボルト３０を所定位置に位置づける位置決め手段１３としてある。
【００５２】
かかる構成からなる横架具１０をクランプ５０を用いて、当該横架具１０における孔１２が前記アンカーボルト保持具２０に備えられたアンカーボルト３０を所定位置にセットし得る位置で前記型枠材４１における鍔部４１ｂに対して、その両端部にある当接板部１１ｂを留め付ける。
【００５３】
かかるクランプ５０による横架具１０の型枠材４１に対する取付は、当該横架具１０を建て込まれた型枠４０における長手方向において各寸法出しのなされた各所定位置に当該横架具１０における孔１２が位置するように当該横架具１０を建て込まれている型枠４０における長手方向に直交するように、この横架具１０における掛合片１４を当該型枠材４１における互いに向き合っている面、この図示例にあっては、前記鋼板製パネル４１’の板部４１ａの内側の面に当該板状をなす掛合片１４の面を密着するように当接し、この状態で当該板状部１１における当接板部１１ｂと当該鋼板製パネル４１’の鍔部４１ｂとを当該クランプ５０を用いて締め付け固定する。
【００５４】
なお、ここで用いられているクランプ５０は、上下に対をなすように突き出し腕部５１ａ、５１ｂを備えたコ字状をなすクランプ本体５１と、このコ字状をなすクランプ本体５１間に入れ込まれる鍔部４１ｂ及び当接板部１１ｂを当該一方の突き出し腕部５１ａとの間で保持する螺桿５２とを備えており、この螺桿５２を当該クランプ本体５１における他方の突き出し腕部５１ｂに設けられている雌ねじ部５１ｂ’に螺進退可能に螺挿してあり、当該螺桿５２におけるハンドル５２ａを用いて当該螺桿５２を螺進させることによって、この螺桿５２の当接板部５２ｂを前記当接板部１１ｂに押し当て得るようにしてある。
【００５５】
ついで、ここで用いられるアンカーボルト保持具２０は、アンカーボルト３０の挿通され得る挿通孔２２を上下方向に貫通して備えており、保持具本体部２１と、このアンカーボルト保持具２０に抜き差し可能に挿通される前記アンカーボルト３０を所定位置において当該上下方向に向けた移動を停止状態に維持するストッパー手段２４と、当該アンカーボルト保持具２０を前記横架具１０上に支承すると共に前記アンカーボルト３０を前記建て込まれる型枠４０に対して所定位置に位置決めするための位置決め手段２５とを備えた構成としてある。
【００５６】
このアンカーボルト保持具２０に備えられる保持具本体部２１は、この図示例にあっては、ブロック状、より具体的には、円柱状に構成してあり、この保持具本体部２１の下端部にほぼ水平の状態で前記横架具１０における板部１１ａ上を覆う長さを備えて当該板部１１ａに跨るように組み付けられる板状部２５ａを備えており、当該板状部２５ａによって当該アンカーボルト保持具２０を横架具１０上に支承し得るようにしてある。そして、この保持具本体部２１に一体に設けられている板状部２５ａの両端部を下方にほぼ直角に折り曲げられた掛合片部２５ｂとしてあって、この対をなす掛合片部２５ｂが前記横架具１０における凹状欠設縁部１３ａに嵌り合うように構成してあって、前記凹状欠設縁部１３ａからなる位置決め手段１３と共に前記アンカーボルト３０の位置決めをなす位置決め手段２５としてある。そして、この保持具本体部２１と板状部２５ａとに一連に連通するように挿通孔２２が上下向きに設けてある。
【００５７】
なお、前記掛合片部２５ｂと板状部２５ａとを備える位置決め手段２５を前記保持具本体部２１と別体のものとして構成し、この位置決め手段２５における板状部２５ａに前記保持具本体部２１に備えられている挿通孔２２の連通する孔を設けるようにしてあってもよい。
【００５８】
かかるアンカーボルト保持具２０の備え付け用いられるアンカーボルト３０は、通例、コンクリート基礎７０に備えられて当該コンクリート基礎７０に対して構造物を固定し得るものであれば、いかなる形態からなるものであってもよく、この図示例にあっては、上端部側が所定長さ相当分雄ねじ部３２とされている直棒状をなすロッド状部３１と当該ロッド状部３１の下端部から上方に向けて矢先状をなすように折り返し状態に備えられているアンカー部３３とを備えた構成としてある。
【００５９】
かかる構成からなる前記鋼板製パネル４１’を、構成目的とされるコンクリート基礎７０の設置対象位置に、当該コンクリート基礎７０の幅寸法を離した状態で前記スペーサ４２等を用いて前記Ｍ型ベース鉄筋４７上に建て込み、この建て込まれた型枠４０間に渡るように前記横架具１０を架け渡しの状態でセットする。
【００６０】
なお、この建て込み型枠４０に対する当該横架具１０の設置は、この建て込み型枠４０に対して当該建て込みに際して効率よく設置してもよく、また、この建て込まれた型枠４０にベース部コンクリート６１を打設した後のより安定した状態にある型枠４０に対して当該横架具１０を設置して当該ベース部コンクリート６１に打ち継がれる立ち上がり部コンクリート６２に対してアンカーボルト３０を差し込み得るようにしてもよい。
【００６１】
かかる構成からなるアンカーボルトの仮保持具Ａにおける前記横架具１０を、当該横架具１０における前記掛合片１４を前記型枠４０を構成する各型枠材４１の鋼板製パネル４１’の互いに向き合っている各板部４１ａに当接するように当該横架具１０における当接板部１１ｂを当該鋼板製パネル４１’における鍔部４１ｂ上に載せかけて、この当接板部１１ｂを当該鍔部４１ｂに前記クランプ５０を用いて固定する。
【００６２】
この横架具１０の備え付けは、建て込まれている前記型枠４０における長手方向及び幅方向にあって、水糸等の適宜の位置決め手段を用いて位置決めのされた所定の位置に当該横架具１０の孔１２が位置するように当該クランプ５０によって設置される。具体的には、当該横架具１０における板状体１１の当接板部１１ｂを鋼板製パネル４１’の鍔部４１ｂ上に位置づけ、この鍔部４１ｂと前記当接板部１１ｂとを、前記クランプ本体５１の各突き出し腕部５１ａ、５１ｂ間に受け入れた状態でハンドル部５２ａを回して当接板部５２ｂと当該突き出し腕部５１ａとの間で挟持する。
【００６３】
このように横架具１０の備え付けられている型枠４０間にコンクリート６０を打設する。かかるコンクリート６０の打設は、既にベース部コンクリート６１の打設されている場合にあっては、このベース部コンクリート６１に打ち継ぐように立ち上がり部コンクリート６２を打設する。
【００６４】
このように打設された立ち上がり部コンクリート６２に対して前記アンカーボルト３０を起立状態に差し入れ、これを垂直状態に前記横架具１０及びアンカーボルト保持具２０によって維持する。
【００６５】
かかるアンカーボルト３０の差し入れは、典型的には、当該アンカーボルト３０をアンカーボルト保持具２０に組み付け用意した状態においてなされる。
【００６６】
かかるアンカーボルト３０のアンカーボルト保持具２０に対する組み付けは、当該アンカーボルト３０を、その雄ねじ部３１側からアンカーボルト保持具２０の挿通孔２２、より具体的には、当該挿通孔２２の下側から差し入れ、この挿通孔２２から上方に突き出されるアンカーボルト３０の上端が所定寸法をなすように調整した状態でストッパー手段２４、この図示例にあっては、前記挿通孔２２に差し入れられているアンカーボルト３０の側面に押し当てられるように当該保持具本体部２１に備えられている雌ねじ孔２４ｂに止めねじ２４ａをねじ入れることによってなすようにしてある。
【００６７】
このようにアンカーボルト３０の備え付けられているアンカーボルト保持具２０を、当該アンカーボルト３０の先端側から前記孔１２に差し入れ、このアンカーボルト３０を前記打ち込みコンクリート６０に差し入れるようになすと共に、このアンカーボルト３０の備えられているアンカーボルト保持具２０における位置決め手段２５、この図示例にあっては、前記掛合片部２５ｂを前記横架具１０の位置決め手段１３である凹状欠設縁部１３ｂに嵌め合わせて、この横架具１０上にアンカーボルト保持具２０を支承し、当該アンカーボルト３０を起立状態
すなわち垂直の状態維持した状態で打設コンクリート６０に植設状態に設ける。
【００６８】
かかる状態で打設コンクリート６０を養生し、前記ストッパー手段２４によるアンカーボルト３０に対する固定状態を解消すると共に、横架具１０に支承されていたアンカーボルト保持具２０を取り外し、当該横架具１０や型枠４０を取り外すことによって、図１０に示されるようなコンクリート基礎７０を構成する。この図示例にあっては、フーチング部７１と立ち上がり部７２とを備えた所謂フーチング基礎の構成例が示されている。
【００６９】
このようにして構成されるコンクリート基礎７０にあっては、打設コンクリート６０に対して、前もって位置決セットされている横架具１０を利用して、容易に、しかも、正確にアンカーボルト３０を備えたアンカーボルト保持具２０をセットすることができ、アンカーボルト３０の差し入れに最も都合の良い条件下にある打設コンクリート６０に対して、短時間で当該アンカーボルト３０を差し入れセットすることができ、仕上がったコンクリート基礎７０におけるアンカーボルト３０が所定の位置に垂直の状態で、且つ、所定突き出し寸法を備えた状態で設け得る特長を有している。
【００７０】
ついで、図１１〜図１４に示される典型的な第２の実施の形態に係るアンカーボルトの仮保持具Ａについて具体的に説明する。
【００７１】
この図示例に係るアンカーボルトの仮保持具Ａは、アンカーボルト３０を着脱可能に組み付け得るアンカーボルト保持具２０と、
前記アンカーボルト３０の挿通可能な孔１２を備えると共に当該孔１２にアンカーボルト３０を挿通した際に前記アンカーボルト保持具２０を所定の位置に支承し得る横架具１０とを備えており、
この横架具１０を型枠４０の長手方向においてアンカーボルト３０の設定予定位置に位置づけるように互いに向き合って備えられているコンクリート基礎７０の打ち込み用の型枠材４１間に架け渡しの状態で組み付け得るようにしてあると共に、
この型枠４０に組み付けられた前記横架具１０に当該横架具１０の孔１２から前記型枠材４１間に打ち込まれたコンクリート６０に対して前記アンカーボルト３０を差し入れるように前記アンカーボルト保持具２０を組み付け得る構成としてあって、
前記横架具１０に位置決め手段１３としての起立枠状部１３ｂを、また、当該アンカーボルト保持具２０を横架具１０上に支承すると共に他方の位置決め手段２５を構成する板状部２５ｃをアンカーボルト保持具２０に備えており、また、アンカーボルト保持具２０におけるストッパー手段２４に代えて当該アンカーボルト保持具２０における挿通孔２２を雌ねじ孔２３とした以外の構成を前記図１〜図１０に示されるアンカーボルトの仮保持具Ａと同一または実質的に同一の構成としてあり、また、同一の方法によって型枠４０に備え付け用いられる。
【００７２】
従って、前記図１〜図１０において示されると同一または実質的に同一の構成部分には同一の番号を付してその説明を省略する。
【００７３】
この図示例に係るアンカーボルト保持具２０は、ブロック状をなす保持具本体部２１、この図示例にあっては、ほぼ円柱状をなす保持具本体部２１の下端部に当該アンカーボルト保持具２０を横架具１０上に支承し且つ位置決め手段２５をなすように前記孔１２よりも大きな直径を備えた板状部２５ｃを一体に備え、この保持具本体部２１と板状部２５ｃとを一体に備えて構成されるアンカーボルト保持具２０の上下方向に貫通するようにアンカーボルト３０における雄ねじ部３２をねじ入れ得る雌ねじ孔２３が設けてあって、この板状部２５ｃが横架具１０における位置決め手段１３としての起立板状部１３ｂに嵌り合う位置決め手段２５としてある。なお、この図示例にあっては、当該板状部２５ｃを当該板状部２５ｃに備えられている前記雌ねじ孔２３の中心を中心とする円板状をなすように構成してある。
【００７４】
また、この図示例に係る横架具１０は、板状部１１の長手側のほぼ中程に孔１２を備えていると共に、この孔１２の周側部に板状部を残すようにして当該孔１２を取り囲むように位置決め手段１３を構成する起立枠状部１３ｂを備えた構成としてある。また、この図示例に係る横架具１０にあっては、この起立枠状部１３ｂが仮想の環状線上、より具体的には、仮想の円形線上に位置するように設けてあり、この図示例では、この横架具１０を用いてアンカーボルト保持具２０に組み付けられるアンカーボルト３０の軸心を中心とする円弧上に当該起立枠状部１３ｂが備えられており、この起立枠状部１３ｂが円環状に列設された構成としてある。
【００７５】
このように構成される横架具１０の位置決め手段１３としての起立枠状部１３ｂ内にアンカーボルト保持具２０における位置決め手段２５をなす板状部２５ｃが嵌め入れられて当該アンカーボルト保持具２０を横架具１０上に支承し、且つアンカーボルト３０を建て込まれる型枠４０の所定位置に位置づけ得るようにしてある。
【００７６】
また、前記アンカーボルト保持具２０に備えられる位置決め手段２５としての板状部２５ｃを円板状に構成し、この円板状をなす板状部２５を前記横架具１０における円環状に列設されている起立枠状部１３ｂ内に嵌め入れる構成にあっては、当該アンカーボルト保持具２０を回転することによって、このアンカーボルト保持具２０に備えられているアンカーボルト３０を上下方向に移動調整することができ、しかも、アンカーボルト３０をコンクリート基礎７０に植設した後に、このアンカーボルト保持具２０を回転させてアンカーボルト３０から取り外すことができる。
【００７７】
また、前記孔１２の直径よりも大きな直径を備えて構成される板状部２５ｃを前記保持具本体部２１と別体のものとして用意し、この板状部２５ｃに当該保持具本体部２１の雌ねじ孔２３に連通する孔を設けるようにしてあってもよく、当該板状部２５ｃを前記起立枠状部１３ｂ内に収まる任意の形状、すなわち、当該起立枠状部１３ｂによって囲まれる平面形状に対応して当該起立枠状部１３ｂ内に収まる形状、例えば、前記起立枠状部１３ｂによって囲まれて構成される平面形状を多角形状とし、この起立枠状部１３ｂに相似形状をなして当該起立枠状部１３ｂ内に収まる多角形状をなすように構成した場合、前記保持愚本体部２１のみを回転することによって、アンカーボルト保持具２０によって横架具１０に支持されているアンカーボルト３０を上下方向に移動調整することができる。
また、当該保持具本体部２１を回転することによって、コンクリート基礎７０に植設されたアンカーボルト３０から当該アンカーボルト保持具２０を取り外すことができる。
【００７８】
ついで、図１５〜図１７は、さらに他の典型的なアンカーボルト３０を示したものであって、図１５では、ロッド状部３１の下端から上方に向けて当該ロッド状部３１を屈曲するように鈎状をなすアンカー部３３を備えたアンカーボルト３０を、図１６では、当該ロッド状部３１の下端から上方に向けて複数本の鈎状をなすアンカー部３３を備えたアンカーボルト３０を、更に、図１７では、当該ロッド状部３１の下端に円板状部及び当該円板状部の下部側に一体に設けられている半球状部とを備えたアンカー部３３を備えたアンカーボルト３０を示しており、いずれも、前記アンカーボルト保持具２０に備えられて横架具１０に組み付け用いることができる。
【図面の簡単な説明】
【００７９】
【図１】典型的なアンカーボルトの仮保持具の各構成部品を分離した状態を示す斜視図
【図２】同アンカーボルトの仮保持具を使用する一過程を示す要部斜視図
【図３】同アンカーボルトの仮保持具を使用する次の一過程を示す要部斜視図
【図４】同アンカーボルトの仮保持具を使用する型枠の建て込みをなす一過程を示す斜視図
【図５】同アンカーボルトの仮保持具を使用する型枠の建て込みをなす一過程を示す断面図
【図６】同アンカーボルトの仮保持具を使用する型枠にコンクリートを打設する一過程を示す断面図
【図７】同アンカーボルトの仮保持具を使用する型枠にコンクリートを打ち継ぐ一過程を示す断面図
【図８】同アンカーボルトの仮保持具を用いてアンカーボルトを打設コンクリートに差し入れた状態を示す断面図
【図９】同要部拡大断面図
【図１０】同アンカーボルトの仮保持具を用いてアンカーボルトの設けられたコンクリート基礎を示す斜視図
【図１１】他の典型的なアンカーボルトの仮保持具の各構成部品を分離した状態を示す斜視図
【図１２】同アンカーボルトの仮保持具を使用する一過程を示す要部斜視図
【図１３】同アンカーボルトの仮保持具を使用する次の一過程を示す要部斜視図
【図１４】同アンカーボルトの仮保持具を用いてアンカーボルトを打設コンクリートに差し入れた状態を示す要部拡大断面図
【図１５】アンカーボルトの仮保持具を用いてコンクリートに差し入れられる他のアンカーボルトを示す斜視図
【図１６】アンカーボルトの仮保持具を用いてコンクリートに差し入れられる更に他のアンカーボルトを示す斜視図
【図１７】アンカーボルトの仮保持具を用いてコンクリートに差し入れられる更に他のアンカーボルトを示す斜視図
【符号の説明】
【００８０】
Ａ  アンカーボルトの仮保持具
１０  横架具
１２  孔
１３  位置決め手段
１３ａ  凹状欠設縁部
１３ｂ  起立枠状部
２０  アンカーボルト保持具
２２  挿通孔
２３  雌ねじ孔
２４  ストッパー手段
２５  位置決め手段
２５ａ  板状部
２５ｂ  掛合片部
２５ｃ  板状部
３０  アンカーボルト
４０  型枠
４１  型枠材
【図１】
2006152752.tif 000003
【図２】
2006152752.tif 000004
【図３】
2006152752.tif 000005
【図４】
2006152752.tif 000006
【図５】
2006152752.tif 000007
【図６】
2006152752.tif 000008
【図７】
2006152752.tif 000009
【図８】
2006152752.tif 000010
【図９】
2006152752.tif 000011
【図１０】
2006152752.tif 000012
【図１１】
2006152752.tif 000013
【図１２】
2006152752.tif 000014
【図１３】
2006152752.tif 000015
【図１４】
2006152752.tif 000016
【図１５】
2006152752.tif 000017
【図１６】
2006152752.tif 000018
【図１７】
2006152752.tif 000019